(57)【要約】【課題】庫内容積を圧迫せず、駆動音が小さい遮蔽装置およびそれを備えた冷蔵庫を提供する。【解決手段】本発明の遮蔽装置７０は、送風機４７を半径方向外側から囲む複数の回動遮蔽壁７１と、回動遮蔽壁７１を駆動する遮蔽壁駆動機構６０と、を具備する。遮蔽壁駆動機構６０は、円周方向に沿ってスライド溝８０が形成された回転プレート７３と、回転プレート７３に係合する移動軸７６が形成されて回動遮蔽壁７１に回転可能に連結されたカム６１と、回転プレート７３を回転する駆動モータ７４と、を有する。そして、一つのスライド溝８０に、複数のカム６１の移動軸７６が係合する。【選択図】図７
2020098045.tif 000002
【特許請求の範囲】
【請求項１】
冷蔵庫の内部で冷気が送風される風路を塞ぐ遮蔽装置であって、
送風機を半径方向外側から囲む複数の回動遮蔽壁と、
前記回動遮蔽壁を駆動する遮蔽壁駆動機構と、を具備し、
前記遮蔽壁駆動機構は、円周方向に沿ってスライド溝が形成された回転プレートと、前記スライド溝に係合する移動軸が形成されて前記回動遮蔽壁にそれぞれ回転可能に連結される複数のカムと、前記回転プレートを回転するモータと、を有し、
一つの前記スライド溝に、複数の前記カムの前記移動軸が係合することを特徴とする遮蔽装置。
【請求項２】
前記カムは、第１カムと、第２カムと、を有し、
前記第１カムが前記スライド溝を摺動する第１摺動範囲と、前記第２カムが前記スライド溝を摺動する第２摺動範囲と、が重なり合っていることを特徴とする請求項１に記載の遮蔽装置。
【請求項３】
前記スライド溝は、環状に形成されていることを特徴とする請求項１または請求項２に記載の遮蔽装置。
【請求項４】
前記スライド溝は、不完全環状に形成されていることを特徴とする請求項１または請求項２に記載の遮蔽装置。
【請求項５】
前記スライド溝は、第１スライド溝と、半径方向に於いて前記第１スライド溝の内側に形成された第２スライド溝と、を有することを特徴とする請求項１から請求項４の何れかに記載の遮蔽装置。
【請求項６】
前記モータは、前記回転プレートの周囲に形成されたギア溝に歯合するギアを介して、前記回転プレートを回転させ、
前記回転プレートの周囲の一部分には前記ギア溝が形成されないことを特徴とする請求項１から請求項５の何れかに記載の遮蔽装置。
【請求項７】
貯蔵室に前記風路を経由して供給される空気を冷却する冷凍サイクルの冷却器と、
前記冷却器が配設されて前記貯蔵室につながる送風口が形成される冷却室と、
前記送風口から供給される前記空気を前記貯蔵室に向けて送風する前記送風機と、
前記風路を少なくとも部分的に塞ぐ、請求項１から請求項６の何れかに記載された前記遮蔽装置と、を具備することを特徴とする冷蔵庫。
【発明の詳細な説明】
【技術分野】
【０００１】
本発明は、遮蔽装置およびそれを備えた冷蔵庫に関し、特に、冷却室から貯蔵室につながる風路を適宜塞ぐ遮蔽装置およびそれを備えた冷蔵庫に関する。
【背景技術】
【０００２】
従来から、特許文献１に記載されたような、一つの冷却器で複数の貯蔵室を適宜冷却する冷蔵庫が知られている。
【０００３】
図３９に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、この開口部１０６には、冷気を送風する送風ファン１０７が配設されており、この送風ファン１０７を覆う送風機カバー１１０が冷凍室１０２側に配置されている。冷蔵室１０１に供給される冷気が流通する風路１０９の途中には、ダンパ１１４が配設されている。
【０００４】
図４０を参照して、上記した送風機カバー１１０を詳述する。送風機カバー１１０は、略四角形形状を呈する凹部１１１が形成されており、凹部１１１の上部を部分的に切り欠いて開口部１１３が形成されている。ここで、送風機カバー１１０が、上記した送風ファン１０７を覆う状況では、送風機カバー１１０の開口部１１３は、冷蔵庫本体側の風路１０９と連通している。
【０００５】
上記した構成の冷蔵庫１００は次のように動作する。先ず、冷蔵室１０１および冷凍室１０２の両方を冷却する場合は、送風機カバー１１０を送風ファン１０７から離間させ、ダンパ１１４を開き、この状態で送風ファン１０７を回転させる。そうすると、冷却室１０４の内部で冷却器１０８により冷却された冷気の一部は、送風ファン１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００６】
一方、冷蔵室１０１のみを冷却する際には、送風ファン１０７を送風機カバー１１０で覆い、ダンパ１１４を開き、この状態にて冷却器１０８で冷却された冷気を送風ファン１０７で送風する。送風機カバー１１０を閉鎖状態にすると、送風機カバー１１０の上部に形成された開口部１１３が、風路１０９と連通するようになる。よって、送風ファン１０７で送風された冷気は、上記した開口部１１３、ダンパ１１４、風路１０９を経由して、冷蔵室１０１に供給される。
【０００７】
上記のように、開口部１１３が形成された送風機カバー１１０を用いることで、一つの冷却器１０８で、複数の貯蔵室を適宜冷却することが可能となった。
【先行技術文献】
【特許文献】
【０００８】
【特許文献１】特開２０１３−２６６４号公報
【発明の概要】
【発明が解決しようとする課題】
【０００９】
しかしながら、上記した構成の送風機カバー１１０は、後方に移動することで冷却室１０４の開口部１０６を塞ぎ、前方に移動することで冷却室１０４の開口部１０６を解放する。この動きを実現するためには、送風機カバー１１０を前後方向に移動させるための駆動機構が必要になる。よって、この駆動機構に冷気が吹き付けられると、駆動機構が凍結し、送風機カバー１１０を開閉移動することができなくなる恐れがある。
【００１０】
更に、送風機カバー１１０は、開閉動作を前後方向に沿って行うための空間を必要とする。よって、冷蔵庫１００の内部に於いて、送風機カバー１１０が開閉動作を行うために大きな空間が必要とされる。この結果、送風機カバー１１０の前方に形成される冷凍室１０２の庫内容積が圧迫されてしまい、冷凍室１０２に収納することができる被貯蔵物の量が制限されてしまう課題があった。更には、モータで送風機カバー１１０を前後方向に移動させる際に駆動音が発生し、この駆動音が大きいと使用者にとって不快である恐れがあった。
【００１１】
本発明は、上記の事情に鑑みてなされたものであり、その目的とするところは、庫内容積を圧迫せず、駆動音が小さい遮蔽装置およびそれを備えた冷蔵庫を提供することにある。
【課題を解決するための手段】
【００１２】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、円周方向に沿ってスライド溝が形成された回転プレートと、前記スライド溝に係合する移動軸が形成されて前記回動遮蔽壁にそれぞれ回転可能に連結される複数のカムと、前記回転プレートを回転するモータと、を有し、一つの前記スライド溝に、複数の前記カムの前記移動軸が係合することを特徴とする。
【００１３】
また、本発明の遮蔽装置では、前記カムは、第１カムと、第２カムと、を有し、前記第１カムが前記スライド溝を摺動する第１摺動範囲と、前記第２カムが前記スライド溝を摺動する第２摺動範囲と、が重なり合っていることを特徴とする。
【００１４】
また、本発明の遮蔽装置では、前記スライド溝は、環状に形成されていることを特徴とする。
【００１５】
また、本発明の遮蔽装置では、前記スライド溝は、不完全環状に形成されていることを特徴とする。
【００１６】
また、本発明の遮蔽装置では、前記スライド溝は、第１スライド溝と、半径方向に於いて前記第１スライド溝の内側に形成された第２スライド溝と、を有することを特徴とする。
【００１７】
また、本発明の遮蔽装置では、前記モータは、前記回転プレートの周囲に形成されたギア溝に歯合するギアを介して、前記回転プレートを回転させ、前記回転プレートの周囲の一部分には前記ギア溝が形成されないことを特徴とする。
【００１８】
また、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ、前記遮蔽装置と、を具備することを特徴とする。
【発明の効果】
【００１９】
本発明は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、を具備し、前記遮蔽壁駆動機構は、円周方向に沿ってスライド溝が形成された回転プレートと、前記スライド溝に係合する移動軸が形成されて前記回動遮蔽壁にそれぞれ回転可能に連結される複数のカムと、前記回転プレートを回転するモータと、を有し、一つの前記スライド溝に、複数の前記カムの前記移動軸が係合することを特徴とする。これにより、本発明の遮蔽装置によれば、回転プレートの回転でスライドするカムにより回動遮蔽壁が開閉するので、遮蔽装置が薄型となり、貯蔵室の庫内容積を大きく確保することができる。また、一つのスライド溝に、複数のカムの移動軸が係合することで、スライド溝の蛇行形状を滑らかにすることができる。よって、スライド溝と移動軸との摺動動作および回動遮蔽壁の回動動作をスムーズに行うことができる。更に、スライド溝の数を少なくでき、遮蔽装置の構成を簡略化できる。
【００２０】
また、本発明の遮蔽装置では、前記カムは、第１カムと、第２カムと、を有し、前記第１カムが前記スライド溝を摺動する第１摺動範囲と、前記第２カムが前記スライド溝を摺動する第２摺動範囲と、が重なり合っていることを特徴とする。これにより、本発明の遮蔽装置によれば、第１摺動範囲と第２摺動範囲とが重なり合っていることで、各カムの移動軸の摺動範囲を大きく確保でき、スライド溝と移動軸との摺動動作および回動遮蔽壁の回動動作を更にスムーズに行うことができる。
【００２１】
また、本発明の遮蔽装置では、前記スライド溝は、環状に形成されていることを特徴とする。これにより、本発明の遮蔽装置によれば、スライド溝が環状に形成されていることで、遮蔽壁駆動機構の構成を簡素化することができる。
【００２２】
また、本発明の遮蔽装置では、前記スライド溝は、不完全環状に形成されていることを特徴とする。これにより、本発明の遮蔽装置によれば、スライド溝の端部までカムの係合部を摺動させることで、容易に回転プレートの初期位置を検出することができる。
【００２３】
また、本発明の遮蔽装置では、前記スライド溝は、第１スライド溝と、半径方向に於いて前記第１スライド溝の内側に形成された第２スライド溝と、を有することを特徴とする。これにより、本発明の遮蔽装置によれば、第１スライド溝に係合部が係合するカムで回動する回動遮蔽壁と、第２スライド溝に係合部が係合するカムで回動する他の回動遮蔽壁とで、制御系統を異ならせ、回動遮蔽壁の制御方法を多様化することが出来る。
【００２４】
また、本発明の遮蔽装置では、前記モータは、前記回転プレートの周囲に形成されたギア溝に歯合するギアを介して、前記回転プレートを回転させ、前記回転プレートの周囲の一部分には前記ギア溝が形成されないことを特徴とする。これにより、本発明の遮蔽装置によれば、ギア溝の端部まで回転プレートを回転させることで、回転プレートの回転方向に於ける位置検出を容易に行うことができる。
【００２５】
また、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ、前記遮蔽装置と、を具備することを特徴とする。これにより、本発明の冷蔵庫によれば、送風機を半径方向外側から囲む複数の回動遮蔽壁を有する薄型の蔽壁送風機を備えることで、遮蔽装置が占有する容積を低減し、貯蔵室の庫内容積を増大することができる。更に、回動遮蔽壁がスムーズに開閉動作することで、各貯蔵室の送風切替作業もスムーズに行うことができる。
【図面の簡単な説明】
【００２６】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫の冷却室付近の構造を示す拡大された側方断面図である。
【図４】本発明の実施形態に係る冷蔵庫で採用される遮蔽装置が組み付けられた状態を示す図であり、（Ａ）は遮蔽装置を後方から見た斜視図であり、（Ｂ）は遮蔽装置を前方から見た斜視図である。
【図５】本発明の実施形態に係る遮蔽装置を示す分解斜視図である。
【図６】本発明の実施形態に係る遮蔽装置および冷蔵庫を示す図であり、（Ａ）は遮蔽装置が組み付けられた状態を示す断面図であり、（Ｂ）は仕切体を示す正面図である。
【図７】本発明の実施形態に係る遮蔽装置を示す図であり、（Ａ）は遮蔽装置を示す分解斜視図であり、（Ｂ）はカムを示す斜視図である。
【図８】本発明の実施形態に係る遮蔽装置を示す図であり、（Ａ）は遮蔽装置を部分的に示す分解斜視図であり、（Ｂ）はカムが収納される構成を示す分解斜視図である。
【図９】本発明の実施形態に係る遮蔽装置を示す図であり、（Ａ）は遮蔽装置の回動遮蔽壁を後方から見て示す図であり、（Ｂ）は回転プレートの構成を後方から見て示す図である。
【図１０】本発明の実施形態に係る遮蔽装置の全閉状態を示す図であり、（Ａ）は遮蔽装置を後方から見て示す図であり、（Ｂ）は回転プレートを後方から見て示す図であり、（Ｃ）は遮蔽装置の切断斜視図である。
【図１１】本発明の実施形態に係る遮蔽装置の全開状態を示す図であり、（Ａ）は遮蔽装置を後方から見て示す図であり、（Ｂ）は回転プレートを後方から見て示す図であり、（Ｃ）は遮蔽装置の切断斜視図である。
【図１２】本発明の実施形態に係る遮蔽装置において、パターン１の状態を後方から見て示す図であり、（Ａ）は遮蔽装置を示す図であり、（Ｂ）は回転プレートを示す図である。
【図１３】本発明の実施形態に係る遮蔽装置において、パターン１の風路の状況を後方から見て示す図である。
【図１４】本発明の実施形態に係る遮蔽装置において、パターン２の状態を後方から見て示す図であり、（Ａ）は遮蔽装置を示す図であり、（Ｂ）は回転プレートを示す図である。
【図１５】本発明の実施形態に係る遮蔽装置において、パターン２の風路の状況を後方から見て示す図である。
【図１６】本発明の実施形態に係る遮蔽装置において、パターン３の状態を後方から見て示す図であり、（Ａ）は遮蔽装置を示す図であり、（Ｂ）は回転プレートを示す図である。
【図１７】本発明の実施形態に係る遮蔽装置において、パターン３の風路の状況を後方から見て示す図である。
【図１８】本発明の実施形態に係る遮蔽装置において、パターン４の状態を後方から見て示す図であり、（Ａ）は遮蔽装置を示す図であり、（Ｂ）は回転プレートを示す図である。
【図１９】本発明の実施形態に係る遮蔽装置において、パターン４の風路の状況を後方から見て示す図である。
【図２０】本発明の実施形態に係る遮蔽装置において、パターン５の状態を後方から見て示す図であり、（Ａ）は遮蔽装置を示す図であり、（Ｂ）は回転プレートを示す図である。
【図２１】本発明の実施形態に係る遮蔽装置において、パターン５の風路の状況を後方から見て示す図である。
【図２２】本発明の実施形態に係る遮蔽装置において、パターン６の状態を後方から見て示す図であり、（Ａ）は遮蔽装置を示す図であり、（Ｂ）は回転プレートを示す図である。
【図２３】本発明の実施形態に係る遮蔽装置において、パターン６の風路の状況を後方から見て示す図である。
【図２４】本発明の実施形態に係る遮蔽装置において、パターン７の状態を後方から見て示す図であり、（Ａ）は遮蔽装置を示す図であり、（Ｂ）は回転プレートを示す図である。
【図２５】本発明の実施形態に係る遮蔽装置において、パターン７の風路の状況を後方から見て示す図である。
【図２６】本発明の実施形態に係る遮蔽装置において、パターン８の状態を後方から見て示す図であり、（Ａ）は遮蔽装置を示す図であり、（Ｂ）は回転プレートを示す図である。
【図２７】本発明の実施形態に係る遮蔽装置において、パターン８の風路の状況を後方から見て示す図である。
【図２８】本発明の実施形態に係る遮蔽装置において、パターン９の状態を後方から見て示す図であり、（Ａ）は遮蔽装置を示す図であり、（Ｂ）は回転プレートを示す図である。
【図２９】本発明の実施形態に係る遮蔽装置において、パターン９の風路の状況を後方から見て示す図である。
【図３０】本発明の実施形態に係る遮蔽装置において、パターン１０の状態を後方から見て示す図であり、（Ａ）は遮蔽装置を示す図であり、（Ｂ）は回転プレートを示す図である。
【図３１】本発明の実施形態に係る遮蔽装置において、パターン１０の風路の状況を後方から見て示す図である。
【図３２】本発明の実施形態に係る遮蔽装置において、パターン１１の状態を後方から見て示す図であり、（Ａ）は遮蔽装置を示す図であり、（Ｂ）は回転プレートを示す図である。
【図３３】本発明の実施形態に係る遮蔽装置において、パターン１１の風路の状況を後方から見て示す図である。
【図３４】本発明の実施形態に係る遮蔽装置において、パターン１２の状態を後方から見て示す図であり、（Ａ）は遮蔽装置を示す図であり、（Ｂ）は回転プレートを示す図である。
【図３５】本発明の実施形態に係る遮蔽装置において、パターン１２の風路の状況を後方から見て示す図である。
【図３６】本発明の実施形態に係る遮蔽装置において、第１摺動範囲および第２摺動範囲を後方から見て示す図である。
【図３７】本発明の他の形態に係る遮蔽装置を示す図であり、（Ａ）および（Ｂ）は遮蔽装置を後方から見た図である。
【図３８】本発明の更なる他の形態に係る遮蔽装置を後方から見た図である。
【図３９】背景技術に係る冷蔵庫を示す拡大側面図である。
【図４０】背景技術に係る冷蔵庫で採用される送風機カバーを示す斜視図である。
【発明を実施するための形態】
【００２７】
以下、本発明の実施形態に係る遮蔽装置７０および冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を後方から見た場合の左右を示している。更に、以下の説明において、回転方向を時計回りおよび反時計回りと表現するが、これらの回転方向は、冷蔵庫１０を後方から見た場合の方向を示している。
【００２８】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段が上段冷凍室１８、更にその下段が下段冷凍室１９、そして最下段が野菜室２０である。尚、上段冷凍室１８および下段冷凍室１９は、何れも冷凍温度域の貯蔵室であり、以下の説明ではこれらを冷凍室１７と総称する場合もある。ここで、上段冷凍室１８は、左右に分割され、一方側が製氷室として用いられても良い。
【００２９】
断熱箱体１１の前面は開口しており、前記各貯蔵室に対応した開口には、断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２３，２４，２５は、各々収納容器と一体的に組み合わされ、冷蔵庫１０の前方に引出自在に、断熱箱体１１に支持されている。具体的には、断熱扉２３は上段冷凍室１８を閉鎖し、断熱扉２４は下段冷凍室１９を閉鎖し、断熱扉２５は野菜室２０を閉鎖する。
【００３０】
図２は、冷蔵庫１０の概略構造を示す側方断面図である。冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した断熱扉２１等も、断熱箱体１１と同様の断熱構造を採用している。
【００３１】
冷蔵室１５と、その下段に位置する冷凍室１７とは、断熱仕切壁４２によって仕切られている。また、上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００３２】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００３３】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００３４】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３５】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３６】
冷却室２６の前方に形成される冷凍室供給風路３１は、冷却室２６とその前方に組み付けられる合成樹脂製の前面カバー６７との間に形成された空間であり、冷却器４５で冷却された冷気を冷凍室１７に流す風路となる。前面カバー６７には、冷凍室１７に冷気を吹き出す開口である吹出口３４が形成されている。
【００３７】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２参照）および野菜室帰還風路３７を経由して帰還する冷気も流入する。
【００３８】
また、冷却器４５の下方には、冷却器４５に付着した霜を融かして除去する除霜手段として、除霜ヒータ４６が設けられている。除霜ヒータ４６は、電気抵抗加熱式のヒータである。
【００３９】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。
【００４０】
冷却室２６の送風口２７の外側には、送風口２７からつながる風路を適宜塞ぐための遮蔽装置７０が設けられている。遮蔽装置７０は、前方から前面カバー６７で覆われている。
【００４１】
ここで、図３には図示しないが、冷蔵室供給風路２９にダンパを介装しても良い。このようにすることで、遮蔽装置７０とダンパとで、各貯蔵室に好適に冷気を送風することができる。
【００４２】
図４を参照して、上記した風路を規制する遮蔽装置７０が組み付けられる構成を説明する。図４（Ａ）は遮蔽装置７０が組み付けられた仕切体６６を後方から見た斜視図であり、図４（Ｂ）は仕切体６６を前方から見た斜視図である。
【００４３】
図４（Ａ）および図４（Ｂ）を参照して、仕切体６６には、上方部分において、厚み方向に貫通する円形の送風口２７が形成されており、送風口２７の前方には送風機４７および遮蔽装置７０が配設されている。ここでは、図４（Ａ）では、遮蔽装置７０は仕切体６６に隠れている。また、仕切体６６の上端側に形成された開口部位５９は、図３に示した冷蔵室供給風路２９に連通している。
【００４４】
図５は、前面カバー６７、遮蔽装置７０および仕切体６６を示す分解斜視図である。遮蔽装置７０は、前面カバー６７と仕切体６６との間に配設されている。遮蔽装置７０は、蓋部材５７、回転プレート７３および支持基体６３から構成されている。蓋部材５７は、回転プレート７３を前方から塞ぐ部材であり、前面視で略円形状を呈している。回転プレート７３は、遮蔽装置７０を開閉するために回転する略円板状の部材であり、支持基体６３に対して回動可能に取り付けられている。支持基体６３は、所定形状に成形された合成樹脂板から成り、遮蔽装置７０を構成する各部材が取り付けられる。また、支持基体６３は、前面カバー６７の上部に形成された開口部３５に嵌め込まれている。
【００４５】
図６（Ａ）は、図４（Ａ）の切断面線Ａ−Ａに於ける断面図である。上記したように、仕切体６６および前面カバー６７で囲まれる空間として冷凍室供給風路３１が形成されている。冷凍室供給風路３１は、後述するように、複数の風路に区分されている。また、仕切体６６と前面カバー６７との間には、遮蔽装置７０および遮蔽壁駆動機構６０が配設されている。遮蔽装置７０は送風機４７を遮蔽し、遮蔽壁駆動機構６０は遮蔽装置７０を駆動する。遮蔽装置７０および遮蔽壁駆動機構６０の構成は図７等を参照して後述する。
【００４６】
図６（Ｂ）は、仕切体６６を前方から見た平面図である。仕切体６６には、上記した吹出口３４として、吹出口３４１ないし吹出口３４６が形成されている。吹出口３４１および吹出口３４２は、仕切体６６の上端部に形成される。吹出口３４３および吹出口３４４は、仕切体６６の上下方向中央部に形成される。吹出口３４５および吹出口３４６は、仕切体６６の下端部に形成される。
【００４７】
また、仕切体６６には、前方に向かって延びるリブ状の風路区画壁５６が形成されている。風路区画壁５６の前端は、前面カバー６７に当接している。風路区画壁５６により、上記した冷凍室供給風路３１が複数の風路に細分化されている。
【００４８】
図７を参照して、遮蔽装置７０の構成を説明する。図７（Ａ）は遮蔽装置７０の分解斜視図であり、図７（Ｂ）はカム６１を示す斜視図である。
【００４９】
図７（Ａ）を参照して、遮蔽装置７０は、支持基体６３と、回転プレート７３と、蓋部材５７と、遮蔽壁駆動機構６０と、を具備している。
【００５０】
遮蔽装置７０は送風機４７で送風された冷気の風路を遮蔽する装置である。遮蔽装置７０を開状態とすることで冷却室２６と各貯蔵室とをつなぐ風路を連通させ、遮蔽装置７０を閉状態とすることで風路を遮断する。
【００５１】
送風機４７は、ビスなどの締結手段を介して、支持基体６３の後面中心部に配設されている。送風機４７は、例えば、ターボファンなどの遠心ファンと、この遠心ファンを回転させる送風モータとを具備しており、半径方向外側に向かって冷気を送風する。
【００５２】
回動遮蔽壁７１は、矩形状の合成樹脂からなる板状部材であり、回転プレート７３の外縁の接線方向に沿う長辺を有している。回動遮蔽壁７１は、支持基体６３の周縁部付近に、後方に向かって回動可能に取り付けられている。回動遮蔽壁７１は、複数（本実施形態では４）が配設されている。回動遮蔽壁７１は、送風機４７で送風される冷気が流通する経路に配置され、風路を適宜遮蔽する。
【００５３】
回動遮蔽壁７１の回動中心である基端部には、起立状態において回動遮蔽壁７１を外囲する枠状部８３が隣接されている。枠状部８３は枠状に成形された合成樹脂から成り、送風機４７を取り囲むように、支持基体６３の後面に配置されている。枠状部８３は各回動遮蔽壁７１に対応して配置され、回動遮蔽壁７１が枠状部８３の開口を塞ぐことで、風路が閉鎖される。
【００５４】
回転プレート７３は、後方から見て略円盤形状の形状を呈し、支持基体６３の前面側に回転自在に配設されている。回転プレート７３には、回動遮蔽壁７１を回動させるためのスライド溝８０が形成されている。スライド溝８０は、回転プレート７３の後面に、リブで囲まれる有底溝として形成されている。回転プレート７３の周縁部にはトルクを伝達するためのギア溝４９が形成されている。後述するように、駆動モータを駆動し、回転プレート７３を回転させることで、回動遮蔽壁７１が開閉動作する。
【００５５】
蓋部材５７は、回転プレート７３を前方から覆う板状の部材であり、回転プレート７３よりも若干大きく形成され、前方から見て略円形を呈している。
【００５６】
上記した回動遮蔽壁７１の開閉動作を行う遮蔽壁駆動機構６０は、回転プレート７３と、カム６１と、回転プレート７３を回転させる駆動モータ７４（図１０（Ａ）参照）を有している。
【００５７】
図７（Ｂ）を参照して、カム６１は、合成樹脂から成る扁平な直方体形状の部材である。カム６１の左方端を後方に向かって突出させることで、回動連結部４８が形成されている。回動連結部４８には、後述するピン６９を挿通可能な孔部が形成されている。また、カム６１の右端側の前面から略円柱状に突出する移動軸７６が形成されている。移動軸７６は、上記した回転プレート７３のスライド溝８０に係合し、使用状況下に於いてスライド溝８０と摺動する。この摺動を可能にするため、移動軸７６の直径は、スライド溝８０の半径方向の幅と同程度か若干短く設定されている。
【００５８】
図８を参照して、回動遮蔽壁７１、支持基体６３およびカム６１の関連構成を説明する。図８（Ａ）は、回動遮蔽壁７１、支持基体６３およびカム６１を左側後方から見た分解斜視図であり、図８（Ｂ）は、回動連結部６８およびカム６１を左側前方から見た分解斜視図である。
【００５９】
図８（Ａ）を参照して、回動遮蔽壁７１は、回動遮蔽壁７１の基端部から傾斜して突出する回動連結部６８が形成されている。回動連結部６８には、ピン６９を挿通することが可能な孔部が形成されている。また、回動遮蔽壁７１の上下両側面の前端部には、略円柱状に突出する回動連結部６４が形成されている。回動連結部６４は、枠状部８３の内壁に形成された筒状の凹状部８５に挿入される。係る構成により、回動遮蔽壁７１は、回動可能な状態で支持基体６３に備えられる。
【００６０】
支持基体６３を矩形状に貫通することで貫通孔８６が形成されている。貫通孔８６には、後方から回動遮蔽壁７１の回動連結部６８が挿入される。カム６１の回動連結部４８も、前方から貫通孔８６に挿入される。回動遮蔽壁７１の回動連結部６８の孔部、および、カム６１の回動連結部４８の孔部には、ピン６９が挿入される。係る構成により、支持基体６３を挟んで、回動遮蔽壁７１とカム６１とは回動可能に接続される。
【００６１】
図８（Ｂ）を参照して、支持基体６３の前面には、カム収納部６２が形成されている。カム収納部６２はリブで囲まれる矩形状の領域であり、カム収納部６２の内部に上記した貫通孔８６が形成されている。カム６１は、カム収納部６２の内部に収納されてスライドする。カム収納部６２の内部でカム６１がスライドする方向は、ここでは左右方向であり、換言すると図７（Ａ）に示した回転プレート７３の半径方向である。
【００６２】
上記のように構成することにより、駆動モータ７４を駆動して回転プレート７３を回転させることにより、移動軸７６がスライド溝８０内を摺動する。これによってカム６１はカム収納部６２内をスライドする。カム６１をスライドさせることで、回動遮蔽壁７１をピン６９周りに回動させることが出来る。具体的には、カム６１を回転プレート７３の周縁部側にスライドさせると、回動遮蔽壁７１は回動連結部６４を回動中心として、起立状態となるように回動し、回動遮蔽壁７１は支持基体６３の主面に対して直交した状態となる。一方、カム６１を回転プレート７３の中心側にスライドさせると、回動遮蔽壁７１は回動連結部６４を回動中心として、横臥状態となるように回動し、回動遮蔽壁７１は支持基体６３の主面に対して略平行な状態となる。
【００６３】
したがって、スライド溝８０を回転プレート７３の周縁部側に形成すれば、回動遮蔽壁７１を閉状態とすることができる。反対にスライド溝８０を回転プレート７３の中心側に形成すれば、回動遮蔽壁７１を開状態とすることができる。この原理を利用して、スライド溝８０の形状を選択すれば、回動遮蔽壁７１の開閉状態を任意に設定することができる。これによって、複雑な構成を採用せずに、回動遮蔽壁７１を全開状態としたり、全閉状態としたりできる。
【００６４】
図９（Ａ）は遮蔽装置７０の回動遮蔽壁７１１等を後方から見て示す図である。遮蔽装置７０は、上記した回動遮蔽壁７１として、回動遮蔽壁７１１ないし回動遮蔽壁７１４を有している。回動遮蔽壁７１１ないし回動遮蔽壁７１４は、上記した回転プレート７３の接線方向に対して略平行な長辺を有する長方形形状を呈している。また、回動遮蔽壁７１１ないし回動遮蔽壁７１４は、図７（Ａ）に示した支持基体６３の周縁部に回動可能に取り付けられている。
【００６５】
回動遮蔽壁７１１の基端部は、移動軸７６１が形成されたカム６１１に回動可能に接続されている。同様に、回動遮蔽壁７１２の半径方向内側端部は、移動軸７６２が形成されたカム６１２に回動可能に接続されている。回動遮蔽壁７１３の半径方向内側端部は、移動軸７６３が形成されたカム６１３に回動可能に連結されている。また、回動遮蔽壁７１４の半径方向内側端部は、移動軸７６４が形成されたカム６１４に回動可能に連結されている。
【００６６】
ここで、カム６１１がスライドする方向は、回動遮蔽壁７１１の長手方向に対して直交している。このようにすることで、回動遮蔽壁７１１を開閉する際に、カム６１１がスライドするべき距離を短く出来る。このような構成は、他の回動遮蔽壁７１２等に関しても同様である。
【００６７】
図９（Ｂ）を参照して、回転プレート７３は、略円板状に成型された鋼板または合成樹脂板であり、上記した回動遮蔽壁７１１等の開閉動作を司るためのスライド溝８０が形成されている。
【００６８】
回転プレート７３の周縁部の大部分にはギア溝４９が形成されており、図１０（Ａ）を参照して後述するギア３０とギア溝４９とが歯合することで、図１０（Ａ）に示す駆動モータ７４のトルクで回転プレート７３が回転する。また、ギア溝４９は回転プレート７３の全周に渡って形成されても良いが、ここでは、回転プレート７３の外周の一部にはギア溝４９は形成されていない。すなわちギア溝４９は両端部を有している。ギア溝４９が端部を有することで、後述するギア３０がギア溝４９の端部まで回転することで、回転プレート７３の回転方向に於ける位置検出を容易に行うことができる。
【００６９】
スライド溝８０は、回転プレート７３の外周縁部近傍に略円環状に形成されている。更に、後方から回転プレート７３を見た場合のスライド溝８０の形状は、真円形状ではなく、回転プレート７３の円周方向に沿って蛇行する蛇行形状を呈している。具体的には、スライド溝８０は、時計回りに沿って、スライド溝８０１，８０２，８０３，８０４，８０５，８０６，８０７，８０８，８０１０，８０１１およびスライド溝８０１２から構成される。スライド溝８０１は、時計回りに沿って半径方向外側に向かって湾曲している。スライド溝８０２は、円周方向に対して略平行に延在している。スライド溝８０３は、時計回りに沿って半径方向内側に向かって湾曲している。スライド溝８０４は、時計回りに沿って半径方向外側に向かって湾曲している。スライド溝８０５は、時計回りに沿って半径方向内側に向かって湾曲している。スライド溝８０６は、時計回りに沿って半径方向外側に向かって湾曲している。スライド溝８０７は、時計回りに沿って半径方向内側に向かって湾曲している。スライド溝８０８は、時計回りに沿って半径方向外側に向かって湾曲している。スライド溝８０９は、時計回りに沿って半径方向内側に向かって湾曲している。スライド溝８０１０は、時計回りに沿って半径方向外側に向かって湾曲している。スライド溝８０１１は、円周方向に対して略平行に延在している。スライド溝８０１２は、時計回りに沿って半径方向内側に向かって湾曲している。
【００７０】
スライド溝８０では、溝の湾曲形状が変化する変化点が設定されている。具体的には、スライド溝８０１とスライド溝８０２との間に変化点８１２が設定され、スライド溝８０２とスライド溝８０３との間に変化点８１３が設定される。また、スライド溝８０３とスライド溝８０４との間に変化点８１４が設定され、スライド溝８０４とスライド溝８０５との間に変化点８１５が設定される。また、スライド溝８０５とスライド溝８０６との間に変化点８１６が設定され、スライド溝８０６とスライド溝８０７との間に変化点８１７が設定される。また、スライド溝８０７とスライド溝８０８との間に変化点８１８が設定され、スライド溝８０８とスライド溝８０９との間に変化点８１９が設定されている。また、スライド溝８０９とスライド溝８０１０との間に変化点８１１０が設定され、スライド溝８０１０とスライド溝８０１１との間に変化点８１１１が設定されている。また、スライド溝８０１１とスライド溝８０１２との間に変化点８１１２が設定され、スライド溝８０１２とスライド溝８０１との間に変化点８１１が設定されている。
【００７１】
上記した、変化点８１２、変化点８１３、変化点８１５、変化点８１７、変化点８１９、変化点８１１１および変化点８１２は、回転プレート７３の半径方向外側に配置される。一方、変化点８１１、変化点８１４、変化点８１６、変化点８１８および変化点８１１０は、回転プレート７３の半径方向内側に配置される。
【００７２】
図１０に全閉状態における遮蔽装置７０の構成を示す。図１０（Ａ）は全閉状態の遮蔽装置７０を後方から見た図であり、図１０（Ｂ）は全閉状態における回転プレート７３等を後方から見た図であり、図１０（Ｃ）は全閉状態における遮蔽装置７０の切断斜視図である。
【００７３】
図１０（Ａ）を参照して、遮蔽装置７０は、全閉状態では送風機４７から外部への空気の流出を防止する。即ち、全閉状態では、全ての遮蔽装置７０である回動遮蔽壁７１１ないし回動遮蔽壁７１４が起立状態である。よって、冷気を供給する風路との連通は遮断され、上記した冷凍室１７には冷気が供給されない。また、図１に示した冷却器４５を除霜する除霜行程でも、遮蔽装置７０が全閉状態となることで、暖気が冷却室２６から冷蔵室１５および冷凍室１７に流入しない。
【００７４】
図１０（Ｂ）を参照して、遮蔽装置７０を全閉状態とする際には、先ず、図１０（Ａ）に示す駆動モータ７４を駆動することでギア３０を介して回転プレート７３を回転させる。ここでは、回転プレート７３を回転させることで、移動軸７６１等をスライド溝８０内で摺動させ、半径方向外側に移動する。具体的には、移動軸７６１はスライド溝８０の変化点８１３に配置され、移動軸７６２はスライド溝８０の変化点８１５に配置される。また、移動軸７６３はスライド溝８０の変化点８１７に配置され、移動軸７６４はスライド溝８０の変化点８１９に配置される。
【００７５】
図１０（Ｃ）を参照して、この結果、カム６１１は、半径方向外側に向かって移動する。そして、カム６１１と回転可能に連結されている回動遮蔽壁７１１は、回動連結部６８近傍を回動中心として回動し、支持基体６３の主面に対して略直角に起立する閉状態となる。この結果、枠状部８３の開口は回動遮蔽壁７１１で塞がれ、風路が遮蔽される。係る構成は、他の回動遮蔽壁７１２等でも同様である。
【００７６】
図１１に全開状態における遮蔽装置７０の構成を示す。図１１（Ａ）は全開状態の遮蔽装置７０を後方から見た図であり、図１１（Ｂ）は全開状態における回転プレート７３等を後方から見た図であり、図１１（Ｃ）は全開状態における遮蔽装置７０の切断斜視図である。
【００７７】
図１１（Ａ）を参照して、遮蔽装置７０は、全開状態では送風機４７から外部への空気の流れを妨げない。全開状態では、全ての回動遮蔽壁７１１等は周囲に向かって開いた状態となっている。即ち、全開状態では、遮蔽装置７０が送風機４７から送風される冷気は、回動遮蔽壁７１に干渉されることなく、冷蔵室１５および冷凍室１７に送風される。
【００７８】
図１１（Ｂ）を参照して、遮蔽装置７０を全開状態とする際には、先ず、図１０（Ａ）に示す駆動モータ７４を駆動することでギア３０を介して回転プレート７３を回転させる。ここでは、回転プレート７３を回転させることで、移動軸７６１等をスライド溝８０内で摺動させ、半径方向内側に移動する。具体的には、移動軸７６１はスライド溝８０の変化点８１４に配置され、移動軸７６２はスライド溝８０の変化点８１６に配置される。また、移動軸７６３はスライド溝８０の変化点８１８に配置され、移動軸７６４はスライド溝８０の変化点８１１０に配置される。
【００７９】
図１１（Ｃ）を参照して、この結果、カム６１１は、半径方向内側に向かって移動する。そして、カム６１１と回転可能に連結されている回動遮蔽壁７１１は、回動連結部６８近傍を回動中心として回動し、支持基体６３の主面に対して略平行に倒れた開状態となる。この結果、枠状部８３の開口は回動遮蔽壁７１１で塞がれず、風路の流路抵抗を小さくし、送風機４７の送風量を増大することができる。係る構成は、他の回動遮蔽壁７１２等でも同様である。
【００８０】
本実施形態では、図７を参照して、回転プレート７３の回転により、回動遮蔽壁７１の開閉動作を行っているので、上記した背景技術と比較して、遮蔽装置７０の薄型化を実現することができる。よって、図２を参照して、遮蔽装置７０の前方に形成される冷凍室１７の容積を増大させることができる。
【００８１】
更に、本実施形態によれば、図９（Ｂ）に示したように、遮蔽装置７０にスライド溝８０を略円環状に形成し、スライド溝８０に複数の移動軸７６２ないし移動軸７６４を係合させている。そして、回転プレート７３を回転させることで、移動軸７６２ないし移動軸７６４がスライド溝８０を摺動し、回転プレート７３の半径方向に沿ってスライドする。移動軸７６２ないし移動軸７６４がスライドすると、カム６１１ないしカム６１４もスライドし、この結果、回動遮蔽壁７１１ないし回動遮蔽壁７１４が開閉される。
【００８２】
よって、１つのスライド溝８０に複数の移動軸７６１ないし移動軸７６４が係合して摺動することから、移動軸７６１ないし移動軸７６４がスライド可能なスライド溝８０の距離を長くすることができる。従って、円周方向に沿ってスライド溝８０を滑らかに曲折形成でき、移動軸７６１ないし移動軸７６４がスライド溝８０を摺動する際に発生する圧力が小さくなり、回動遮蔽壁７１１の開閉動作をスムーズに行うことができる。
【００８３】
以下、図１２から図３５を参照して、遮蔽装置７０の回転プレート７３を３０度単位で時計回りに回転させることで、回動遮蔽壁７１１ないし回動遮蔽壁７１４を開閉し、風路の開閉および切替えを行う動作を説明する。以下の説明では、回転プレート７３の半径方向および円周方向を、単に、半径方向および円周方向と称する。更に、以下の説明では、回転プレート７３を３０度単位で時計回りに回転させることで、回動遮蔽壁７１１等の開閉状態を、パターン１からパターン１２まで遷移させている。即ち、本実施形態では、回転プレート７３の割付角を３０度とし、３０度単位で回転プレート７３を回転することで、回動遮蔽壁７１１ないし回動遮蔽壁７１４の開閉を制御している。ここで、割付角は、３６０度の約数とされており、例えば６０度や１２０度でも良い。
【００８４】
図１２および図１３に、全ての回動遮蔽壁７１等を開状態とするパターン１を示す。図１２（Ａ）はこの状態に於ける遮蔽装置７０を後方から見た図であり、図１２（Ｂ）はこの状態に於ける回転プレート７３を後方から見た図であり、図１３はこの状態に於ける風路の状況を後方から見た図である。
【００８５】
図１２（Ａ）を参照して、パターン１では、回動遮蔽壁７１１ないし回動遮蔽壁７１４の全ては開状態である。係る開閉状態とすることで、送風機４７で冷蔵室１５および冷凍室１７に冷気を送風することができる。
【００８６】
図１２（Ｂ）を参照して、この状態では、移動軸７６１等は半径方向内側に配置されている。具体的には、移動軸７６１はスライド溝８０の変化点８１４に配置され、移動軸７６２はスライド溝８０の変化点８１６に配置される。また、移動軸７６３はスライド溝８０の変化点８１８に配置され、移動軸７６４はスライド溝８０の変化点８１１０に配置される。これにより、回動遮蔽壁７１１ないし回動遮蔽壁７１４が開状態と成る。
【００８７】
図１３を参照して、遮蔽装置７０が図１２に示した状態となると、遮蔽装置７０で冷気が遮られることはなく、吹出口３４１ないし吹出口３４６に向かって冷気が送風され、吹出口３４１ないし吹出口３４６から冷凍室１７の全域に冷気が吹き出される。
【００８８】
図１４および図１５に、全ての回動遮蔽壁７１１等を閉状態とするパターン２を示す。パターン２は、パターン１から回転プレート７３を時計回りに３０度回転させた状態である。図１４（Ａ）はこの状態に於ける遮蔽装置７０を後方から見た図であり、図１４（Ｂ）はこの状態に於ける回転プレート７３を後方から見た図であり、図１５にはこの状態に於ける風路の状況を後方から見た図である。
【００８９】
図１４（Ａ）を参照して、パターン２では、回動遮蔽壁７１１ないし回動遮蔽壁７１４の全ては閉状態である。係る開閉状態とすることで、送風機４７で冷凍室１７への送風を遮断することができる。また、除霜時に於いて暖気が冷凍室１７に進入することを防止できる。
【００９０】
図１４（Ｂ）を参照して、この状態では、移動軸７６１等は半径方向外側に配置されている。具体的には、移動軸７６１はスライド溝８０の変化点８１３に配置され、移動軸７６２はスライド溝８０の変化点８１５に配置される。また、移動軸７６３はスライド溝８０の変化点８１７に配置され、移動軸７６４はスライド溝８０の変化点８１９に配置される。これにより、回動遮蔽壁７１１ないし回動遮蔽壁７１４の全てが閉状態と成る。
【００９１】
図１５を参照して、遮蔽装置７０が図１４に示した状態となると、遮蔽装置７０で冷気が遮られ、吹出口３４１ないし吹出口３４６に向かって冷気は送風されず、吹出口３４１ないし吹出口３４６から冷凍室１７の全域に冷気は吹き出されない。
【００９２】
図１６および図１７に、右方に配置される回動遮蔽壁７１１のみを閉状態とするパターン３を示す。パターン３は、パターン２から回転プレート７３を時計回りに３０度回転させた状態である。図１６（Ａ）はこの状態に於ける遮蔽装置７０を後方から見た図であり、図１６（Ｂ）はこの状態に於ける回転プレート７３を後方から見た図であり、図１７はこの状態に於ける風路の状況を後方から見た図である。
【００９３】
図１６（Ａ）を参照して、パターン３では、回動遮蔽壁７１１は閉状態とされ、回動遮蔽壁７１２、回動遮蔽壁７１３および回動遮蔽壁７１４は開状態とされている。係る開閉状態とすることで、送風機４７で冷凍室１７への送風を部分的に遮断することができる。
【００９４】
図１６（Ｂ）を参照して、この状態では、移動軸７６１は半径方向外側に配置され、移動軸７６２、移動軸７６３および移動軸７６４は半径方向内側に配置される。具体的には、移動軸７６１はスライド溝８０の変化点８１２に配置され、移動軸７６２はスライド溝８０の変化点８１４に配置される。移動軸７６３はスライド溝８０の変化点８１６に配置され、移動軸７６４はスライド溝８０の変化点８１８に配置される。これにより、回動遮蔽壁７１１は閉状態とされ、回動遮蔽壁７１２、回動遮蔽壁７１３および回動遮蔽壁７１４は開状態と成る。
【００９５】
図１７を参照して、遮蔽装置７０が図１６に示した状態となると、回動遮蔽壁７１１が冷気を遮る一方、回動遮蔽壁７１２、回動遮蔽壁７１３および回動遮蔽壁７１４は冷気を遮らない。よって、冷気は左方および下方に向かって送風され、具体的には、吹出口３４１、吹出口３４３、吹出口３４４、吹出口３４５、および吹出口３４６に向かって送風された後に、冷凍室１７に吹き出される。
【００９６】
図１８および図１９に、右方に配置される回動遮蔽壁７１１のみを開状態とするパターン４を示す。パターン４は、パターン３から回転プレート７３を時計回りに３０度回転させた状態である。図１８（Ａ）はこの状態に於ける遮蔽装置７０を後方から見た図であり、図１８（Ｂ）はこの状態に於ける回転プレート７３を後方から見た図であり、図１９はこの状態に於ける風路の状況を後方から見た図である。
【００９７】
図１８（Ａ）を参照して、パターン４では、回動遮蔽壁７１１は開状態とされ、回動遮蔽壁７１２、回動遮蔽壁７１３および回動遮蔽壁７１４は閉状態とされている。係る開閉状態とすることで、送風機４７による冷凍室１７への送風を、右方のみに限定することができる。
【００９８】
図１８（Ｂ）を参照して、この状態では、移動軸７６１は半径方向内側に配置され、移動軸７６２、移動軸７６３および移動軸７６４は半径方向外側に配置される。具体的には、移動軸７６１はスライド溝８０の変化点８１１に配置され、移動軸７６２はスライド溝８０の変化点８１３に配置される。また、移動軸７６３はスライド溝８０の変化点８１５に配置され、移動軸７６４はスライド溝８０の変化点８１７に配置される。これにより、回動遮蔽壁７１１は開状態とされ、回動遮蔽壁７１２、回動遮蔽壁７１３および回動遮蔽壁７１４は閉状態と成る。
【００９９】
図１９を参照して、遮蔽装置７０が図１８に示した状態となると、回動遮蔽壁７１１が冷気を遮らない一方、回動遮蔽壁７１２、回動遮蔽壁７１３および回動遮蔽壁７１４は冷気を遮る。よって、冷気は右方に向かって送風され、具体的には、吹出口３４２に向かって送風された後に、冷凍室１７に吹き出される。
【０１００】
図２０および図２１に、右方に配置される回動遮蔽壁７１１等を閉状態とするパターン５を示す。パターン５は、パターン４から回転プレート７３を時計回りに３０度回転させた状態である。図２０（Ａ）はこの状態に於ける遮蔽装置７０を後方から見た図であり、図２０（Ｂ）はこの状態に於ける回転プレート７３を後方から見た図であり、図２１はこの状態に於ける風路の状況を後方から見た図である。
【０１０１】
図２０（Ａ）を参照して、パターン５では、回動遮蔽壁７１１および回動遮蔽壁７１２は閉状態とされ、回動遮蔽壁７１３および回動遮蔽壁７１４は開状態とされている。係る開閉状態とすることで、送風機４７で冷凍室１７の左方部分に冷気を送風することができる。
【０１０２】
図２０（Ｂ）を参照して、この状態では、移動軸７６１および移動軸７６２は半径方向外側に配置され、移動軸７６３および移動軸７６４は半径方向内側に配置される。具体的には、移動軸７６１はスライド溝８０の変化点８１１２に配置され、移動軸７６２はスライド溝８０の変化点８１２に配置される。また、移動軸７６３はスライド溝８０の変化点８１４に配置され、移動軸７６４はスライド溝８０の変化点８１６に配置される。これにより、回動遮蔽壁７１１および回動遮蔽壁７１２は閉状態とされ、回動遮蔽壁７１３および回動遮蔽壁７１４は開状態とされる。
【０１０３】
図２１を参照して、遮蔽装置７０が図２０に示した状態となると、回動遮蔽壁７１１および回動遮蔽壁７１２が冷気を遮る一方、回動遮蔽壁７１３および回動遮蔽壁７１４は冷気を遮らない。よって、冷気は左方に向かって送風され、具体的には、吹出口３４１、吹出口３４３および吹出口３４５に向かって送風された後に、冷凍室１７に吹き出される。
【０１０４】
図２２および図２３に、右方に配置される回動遮蔽壁７１２のみを開状態とするパターン６を示す。パターン６は、パターン５から回転プレート７３を時計回りに３０度回転させた状態である。図２２（Ａ）はこの状態に於ける遮蔽装置７０を後方から見た図であり、図２２（Ｂ）はこの状態に於ける回転プレート７３を後方から見た図であり、図２３にはこの状態に於ける風路の状況を後方から見た図である。
【０１０５】
図２２（Ａ）を参照して、パターン６では、回動遮蔽壁７１１、回動遮蔽壁７１３および回動遮蔽壁７１４は閉状態とされ、回動遮蔽壁７１２のみが開状態とされている。係る開閉状態とすることで、送風機４７で冷凍室１７の右側下部分に冷気を送風することができる。
【０１０６】
図２２（Ｂ）を参照して、この状態では、移動軸７６１、移動軸７６３および移動軸７６４は半径方向外側に配置され、移動軸７６２は半径方向内側に配置される。具体的には、移動軸７６１はスライド溝８０の変化点８１１１に配置され、移動軸７６２はスライド溝８０の変化点８１１に配置される。また、移動軸７６３はスライド溝８０の変化点８１３に配置され、移動軸７６４はスライド溝８０の変化点８１５に配置される。これにより、回動遮蔽壁７１２のみが開状態とされ、回動遮蔽壁７１１、回動遮蔽壁７１３および回動遮蔽壁７１４は閉状態とされる。
【０１０７】
図２３を参照して、遮蔽装置７０がパターン６になると、回動遮蔽壁７１１、回動遮蔽壁７１３および回動遮蔽壁７１４は冷気を遮る一方、回動遮蔽壁７１２は冷気を遮らない。よって、冷気は右側下方に向かって送風され、具体的には、吹出口３４４および吹出口３４６に向かって送風された後に、冷凍室１７に吹き出される。
【０１０８】
図２４および図２５に、上方に配置される回動遮蔽壁７１１および回動遮蔽壁７１４を開状態とするパターン７を示す。パターン７は、パターン６から回転プレート７３を時計回りに３０度回転させた状態である。図２４（Ａ）はこの状態に於ける遮蔽装置７０を後方から見た図であり、図２４（Ｂ）はこの状態に於ける回転プレート７３を後方から見た図であり、図２５はこの状態に於ける風路の状況を後方から見た図である。
【０１０９】
図２４（Ａ）を参照して、パターン７では、回動遮蔽壁７１１および回動遮蔽壁７１４を開状態とし、回動遮蔽壁７１２および回動遮蔽壁７１３を閉状態としている。係る開閉状態とすることで、送風機４７で冷凍室１７の上部に冷気を送風することができる。
【０１１０】
図２４（Ｂ）を参照して、この状態では、移動軸７６１および移動軸７６４が半径方向内側に配置され、移動軸７６２および移動軸７６３が半径方向外側に配置される。具体的には、移動軸７６１はスライド溝８０の変化点８１１０に配置され、移動軸７６２はスライド溝８０の変化点８１１２に配置される。また、移動軸７６３はスライド溝８０の変化点８１２に配置され、移動軸７６４はスライド溝８０の変化点８１４に配置される。これにより、回動遮蔽壁７１１および回動遮蔽壁７１４は開状態とされ、回動遮蔽壁７１２および回動遮蔽壁７１３は閉状態となる。
【０１１１】
図２５を参照して、遮蔽装置７０がパターン７になると、回動遮蔽壁７１２および回動遮蔽壁７１３は冷気を遮る一方、回動遮蔽壁７１１および回動遮蔽壁７１４は冷気を遮らない。よって、冷気は上方に向かって送風され、具体的には、吹出口３４１および吹出口３４２に向かって送風された後に、冷凍室１７に吹き出される。
【０１１２】
図２６および図２７に、回動遮蔽壁７１３のみを開状態とするパターン８を示す。パターン８は、パターン７から回転プレート７３を時計回りに３０度回転させた状態である。図２６（Ａ）はこの状態に於ける遮蔽装置７０を後方から見た図であり、図２６（Ｂ）はこの状態に於ける回転プレート７３を後方から見た図であり、図２７はこの状態に於ける風路の状況を後方から見た図である。
【０１１３】
図２６（Ａ）を参照して、パターン８では、回動遮蔽壁７１３のみを開状態とし、回動遮蔽壁７１１、回動遮蔽壁７１２および回動遮蔽壁７１４を閉状態としている。係る開閉状態とすることで、送風機４７で冷凍室１７の下側左方に冷気を送風することができる。
【０１１４】
図２６（Ｂ）を参照して、この状態では、移動軸７６３が半径方向内側に配置され、移動軸７６１、移動軸７６２および移動軸７６４は半径方向外側に配置される。具体的には、移動軸７６１はスライド溝８０の変化点８１９に配置され、移動軸７６２はスライド溝８０の変化点８１１１に配置される。また、移動軸７６３はスライド溝８０の変化点８１１に配置され、移動軸７６４はスライド溝８０の変化点８１３に配置される。これにより、回動遮蔽壁７１３は開状態とされ、回動遮蔽壁７１１、回動遮蔽壁７１２および回動遮蔽壁７１４は閉状態とされる。
【０１１５】
図２７を参照して、遮蔽装置７０がパターン８になると、回動遮蔽壁７１１および回動遮蔽壁７１２および回動遮蔽壁７１４は冷気を遮る一方、回動遮蔽壁７１３は冷気を遮らない。よって、冷気は左側下方に向かって送風され、具体的には、吹出口３４３および吹出口３４５に向かって送風された後に、冷凍室１７に吹き出される。
【０１１６】
図２８および図２９に、回動遮蔽壁７１１および回動遮蔽壁７１２のみを開状態とするパターン９を示す。パターン９は、パターン８から回転プレート７３を時計回りに３０度回転させた状態である。図２８（Ａ）はこの状態に於ける遮蔽装置７０を後方から見た図であり、図２８（Ｂ）はこの状態に於ける回転プレート７３を後方から見た図であり、図２９はこの状態に於ける風路の状況を後方から見た図である。
【０１１７】
図２８（Ａ）を参照して、パターン９では、回動遮蔽壁７１１および回動遮蔽壁７１２を開状態とし、回動遮蔽壁７１３および回動遮蔽壁７１４を閉状態としている。係る開閉状態とすることで、送風機４７で冷凍室１７の右方部分に冷気を送風することができる。
【０１１８】
図２８（Ｂ）を参照して、この状態では、移動軸７６１および移動軸７６２が半径方向内側に配置され、移動軸７６３および移動軸７６４が半径方向外側に配置される。具体的には、移動軸７６１はスライド溝８０の変化点８１８に配置され、移動軸７６２はスライド溝８０の変化点８１１０に配置される。また、移動軸７６３はスライド溝８０の変化点８１１２に配置され、移動軸７６４はスライド溝８０の変化点８１２に配置される。これにより、回動遮蔽壁７１１および回動遮蔽壁７１２が開状態とされ、回動遮蔽壁７１３および回動遮蔽壁７１４が閉状態とされる。
【０１１９】
図２９を参照して、遮蔽装置７０がパターン９になると、回動遮蔽壁７１１および回動遮蔽壁７１２は冷気を遮らない一方、回動遮蔽壁７１３および回動遮蔽壁７１４は冷気を遮る。よって、冷気は右方に向かって送風され、具体的には、吹出口３４２、吹出口３４４および吹出口３４６に送風された後に、冷凍室１７に吹き出される。
【０１２０】
図３０および図３１に、回動遮蔽壁７１４のみを開状態とするパターン１０を示す。パターン１０は、パターン９から回転プレート７３を時計回りに３０度回転させた状態である。図３０（Ａ）はこの状態に於ける遮蔽装置７０を後方から見た図であり、図３０（Ｂ）はこの状態に於ける回転プレート７３を後方から見た図であり、図３１はこの状態に於ける風路の状況を後方から見た図である。
【０１２１】
図３０（Ａ）を参照して、パターン１０では、回動遮蔽壁７１１、回動遮蔽壁７１２および回動遮蔽壁７１３を閉状態とし、回動遮蔽壁７１４を開状態とする。係る開閉状態とすることで、送風機４７で冷凍室１７の左側上部分に冷気を送風することができる。
【０１２２】
図３０（Ｂ）を参照して、この状態では、移動軸７６１、移動軸７６２および移動軸７６３が半径方向外側に配置され、移動軸７６４が半径方向内側に配置される。具体的には、移動軸７６１はスライド溝８０の変化点８１７に配置され、移動軸７６２はスライド溝８０の変化点８１９に配置される。また、移動軸７６３はスライド溝８０の変化点８１１１に配置され、移動軸７６４はスライド溝８０の変化点８１１に配置される。これにより、回動遮蔽壁７１１、回動遮蔽壁７１２および回動遮蔽壁７１３が閉状態とされ、回動遮蔽壁７１４が開状態とされる。
【０１２３】
図３１を参照して、遮蔽装置７０がパターン１０になると、回動遮蔽壁７１１、回動遮蔽壁７１２および回動遮蔽壁７１３は冷気を遮る一方、回動遮蔽壁７１４は冷気を遮らない。よって、冷気は左側上方に向かって送風され、具体的には、吹出口３４１に送風された後に、冷凍室１７に吹き出される。
【０１２４】
図３２および図３３に、回動遮蔽壁７１４のみを閉状態とするパターン１１を示す。パターン１１は、パターン１０から回転プレート７３を時計回りに３０度回転させた状態である。図３２（Ａ）はこの状態に於ける遮蔽装置７０を後方から見た図であり、図３２（Ｂ）はこの状態に於ける回転プレート７３を後方から見た図であり、図３３はこの状態に於ける風路の状況を後方から見た図である。
【０１２５】
図３２（Ａ）を参照して、パターン１１では、回動遮蔽壁７１１、回動遮蔽壁７１２および回動遮蔽壁７１３を開状態とし、回動遮蔽壁７１４を閉状態とする。係る開閉状態とすることで、送風機４７で冷凍室１７の右方部分および下方部分に冷気を送風することができる。
【０１２６】
図３２（Ｂ）を参照して、この状態では、移動軸７６１、移動軸７６２および移動軸７６３が半径方向内側に配置され、移動軸７６４が半径方向外側に配置される。具体的には、移動軸７６１はスライド溝８０の変化点８１６に配置され、移動軸７６２はスライド溝８０の変化点８１８に配置される。また、移動軸７６３はスライド溝８０の変化点８１１０に配置され、移動軸７６４はスライド溝８０の変化点８１１２に配置される。これにより、回動遮蔽壁７１１、回動遮蔽壁７１２および回動遮蔽壁７１３が開状態とされ、回動遮蔽壁７１４が閉状態とされる。
【０１２７】
図３３を参照して、遮蔽装置７０がパターン１１になると、回動遮蔽壁７１１、回動遮蔽壁７１２および回動遮蔽壁７１３は冷気を遮らない一方、回動遮蔽壁７１４は冷気を遮る。よって、冷気は右方および下方に向かって送風され、具体的には、吹出口３４２、吹出口３４４、吹出口３４６および吹出口３４５に送風された後に、冷凍室１７に吹き出される。
【０１２８】
図３４および図３５に、全ての回動遮蔽壁７１４等を閉状態とするパターン１２を示す。パターン１２は、パターン１１から回転プレート７３を時計回りに３０度回転させた状態である。図３４（Ａ）はこの状態に於ける遮蔽装置７０を後方から見た図であり、図３４（Ｂ）はこの状態に於ける回転プレート７３を後方から見た図であり、図３５はこの状態に於ける風路の状況を後方から見た図である。
【０１２９】
図３４（Ａ）を参照して、パターン１２では、回動遮蔽壁７１１、回動遮蔽壁７１２、回動遮蔽壁７１３および回動遮蔽壁７１４を閉状態とする。係る開閉状態とすることで、送風機４７からの送風径路を閉鎖し、図３に示す冷却室２６と冷凍室１７とを区画することができる。
【０１３０】
図３４（Ｂ）を参照して、この状態では、移動軸７６１、移動軸７６２、移動軸７６３および移動軸７６４が半径方向外側に配置される。具体的には、移動軸７６１はスライド溝８０の変化点８１５に配置され、移動軸７６２はスライド溝８０の変化点８１７に配置される。また、移動軸７６３はスライド溝８０の変化点８１９に配置され、移動軸７６４はスライド溝８０の変化点８１１１に配置される。これにより、回動遮蔽壁７１１、回動遮蔽壁７１２、回動遮蔽壁７１３、回動遮蔽壁７１４が閉状態とされる。
【０１３１】
図３５を参照して、遮蔽装置７０がパターン１１になると、回動遮蔽壁７１１、回動遮蔽壁７１２、回動遮蔽壁７１３とよび回動遮蔽壁７１４は冷気を遮る。よって、吹出口３４２等に冷気は送風されない。
【０１３２】
以上が遮蔽装置７０の動作に関する説明である。
【０１３３】
本実施の形態に係る遮蔽装置７０によれば、遮蔽装置７０を所定角度回転させる簡易な制御動作により、回動遮蔽壁７１１ないし回動遮蔽壁７１４の開閉パターンを多様に実現することができる。具体的には、３０度単位で、１２種類の開閉パターンを実現することができる。よって、多数の冷気の送風形態を実現でき、冷凍室１７の内部の冷却状況に応じて、冷気を好適に送風することができる。
【０１３４】
また、上記したように、１つのスライド溝８０で、４つの回動遮蔽壁７１１等の移動軸７６１等を摺動させているので、スライド溝８０の湾曲する度合いを緩和することができ、係る摺動動作をスムーズに行うことができる。
【０１３５】
更に、複数のカム６１１等で、スライド溝８０の摺動する範囲が重なり合っている。具体的には、図３６を参照して、カム６１１（第１カム）の移動軸７６１がスライド溝８０を摺動する範囲である第１摺動範囲と、カム６１２（第２カム）の移動軸７６２がスライド溝８０を摺動する範囲である第２摺動範囲と、が円周方向に於いて重なり合っている。即ち、上記したパターン１からパターン１２まで移行する際に、回転プレート７３は３３０度回転する。よって、スライド溝８０の略全体が、第１摺動範囲であり且つ第２摺動範囲である。よって、スライド溝８０の略全体を、複数のカム６１１等で共用でき、遮蔽装置７０の構成を簡素化できる。
【０１３６】
図３７（Ａ）および図３７（Ｂ）に、遮蔽装置７０の変形例を示す。図３７（Ａ）および図３７（Ｂ）は、変形例に係る遮蔽装置７０を後方から見た図である。ここでは、回転プレート７３に、複数のスライド溝８０として、スライド溝８０１５およびスライド溝８０１６が形成されている。
【０１３７】
図３７（Ａ）を参照して、回転プレート７３には、スライド溝８０１５とスライド溝８０１６が形成されており、両者は円周方向に於いて離間して形成されている。換言すると、移動軸７６４と移動軸７６３は、円周方向にずらして配置されている。また、スライド溝８０１５およびスライド溝８０１６は、円周方向に沿って蛇行形成されている。更に、スライド溝８０１５およびスライド溝８０１６は、非完全環状に形成されている。これにより、例えば、移動軸７６１がスライド溝８０１６の端部に当接するまで、回転プレート７３を回転することで、回転プレート７３の回転方向の位置を検出することができる。
【０１３８】
スライド溝８０１５には、移動軸７６４および移動軸７６３が係合している。また、８０１６には、移動軸７６１および移動軸７６２が係合している。ここでは、移動軸７６１および移動軸７６２が半径方向外側に配置されることで、回動遮蔽壁７１１および回動遮蔽壁７１２は閉状態となっている。また、移動軸７６３および移動軸７６４が半径方向内側にあることで、回動遮蔽壁７１３および回動遮蔽壁７１４が開状態と成っている。
【０１３９】
図３７（Ｂ）に、図３７（Ａ）の状態から遮蔽装置７０を反時計回りに約３０度回転させた状態を示している。係る状態とすることで、移動軸７６１および移動軸７６２が半径方向内側に配置されることで、回動遮蔽壁７１１および回動遮蔽壁７１２は開状態となっている。また、移動軸７６３および移動軸７６４が半径方向外側にあることで、回動遮蔽壁７１３および回動遮蔽壁７１４が閉状態と成っている。
【０１４０】
上記のような変形例であっても、一つのスライド溝８０１５に二つの移動軸７６３および移動軸７６４が係合している。よって、回動遮蔽壁７１４等の開閉パターンを多く実現することができる。また、スライド溝８０１５の湾曲の度合いを和らげ、移動軸７６３および移動軸７６４の摺動動作をスムーズに行うことができる。
【０１４１】
図３８に、遮蔽装置７０の更なる変形例を示す。図３８は、変形例に係る遮蔽装置７０の後面図である。
【０１４２】
ここに示す遮蔽装置７０は、回動遮蔽壁７１５を有している。回動遮蔽壁７１５は、上記した冷蔵室１５に供給される風路を開閉する。回動遮蔽壁７１５を開状態とすることで、冷蔵室１５に冷気を送風することができる。一方、回動遮蔽壁７１５を閉状態とすることで、冷蔵室１５に冷気を送風しない。回動遮蔽壁７１５は、他の回動遮蔽壁７１１と同様の構成を有し、カム６１５に対して回動可能に接続されている。カム６１５には移動軸７６５が形成され、移動軸７６５は後述するスライド溝８０１８に係合している。係る構成とすることで、図２に示した冷蔵室供給風路２９にダンパを介装する必要がなく、冷蔵庫１０の全体構成を簡素化することができる。
【０１４３】
回転プレート７３には、スライド溝８０１７（第１スライド溝）とスライド溝８０１８（第２スライド溝）が形成されている。スライド溝８０１７とスライド溝８０１８は、半径方向にずらして配置される。即ち、スライド溝８０１８は、スライド溝８０１７の内側に形成されている。ここでは、内側のスライド溝８０１７は不完全環状に形成され、外側のスライド溝８０１８は環形状に形成されている。スライド溝８０１７およびスライド溝８０１８は、カム６１１等を半径方向に沿ってスライドさせるために、円周方向に沿って蛇行形成されている。
【０１４４】
スライド溝８０１７には、移動軸７６１ないし移動軸７６４が係合して摺動する。スライド溝８０１８には、移動軸７６５が係合して摺動する。
【０１４５】
使用状況下では、回転プレート７３が回動すると、移動軸７６１ないし移動軸７６４がスライド溝８０１７を摺動することで、回動遮蔽壁７１１ないし回動遮蔽壁７１４が開閉する。また、移動軸７６５がスライド溝８０１８を摺動することで、回動遮蔽壁７１５が開閉する。
【０１４６】
上記のように、回転プレート７３に複数のスライド溝８０１７およびスライド溝８０１８を形成し、スライド溝８０１７とスライド溝８０１８とを半径方向にずらして形成することで、より多くの回動遮蔽壁７１１等の開閉制御をスムーズに実現することができる。
【０１４７】
本発明は、上記実施形態に限定されるものではなく、その他、本発明の要旨を逸脱しない範囲で、種々の変更実施が可能である。
【符号の説明】
【０１４８】
１０   冷蔵庫
１１   断熱箱体
１２   外箱
１３   内箱
１４   断熱材
１５   冷蔵室
１７   冷凍室
１８   上段冷凍室
１９   下段冷凍室
２０   野菜室
２１   断熱扉
２３   断熱扉
２４   断熱扉
２５   断熱扉
２６   冷却室
２７   送風口
２８   戻り口
２９   冷蔵室供給風路
３０   ギア
３１   冷凍室供給風路
３３   吹出口
３４、３４１、３４２、３４３、３４４、３４５、３４６    吹出口
３５   開口部
３７   野菜室帰還風路
３８   戻り口
３９   戻り口
４２   断熱仕切壁
４３   断熱仕切壁
４４   圧縮機
４５   冷却器
４６   除霜ヒータ
４７   送風機
４８   回動連結部
４９   ギア溝
５６   風路区画壁
５７   蓋部材
５９   開口部位
６０   遮蔽壁駆動機構
６１、６１１、６１２、６１３、６１４、６１５、６１６    カム
６２   カム収納部
６３   支持基体
６４   回動連結部
６５   仕切体
６６   仕切体
６７   前面カバー
６８   回動連結部
６９   ピン
７０   遮蔽装置
７１、７１１、７１２、７１３、７１４、７１５            回動遮蔽壁    
７３   回転プレート
７４   駆動モータ
７６、７６１、７６２、７６３、７６４、７６５            移動軸
８０   スライド溝
８０１、８０２、８０３、８０４、８０５、８０６、８０７、８０８、８０９、８０１０、８０１１、８０１２、８０１３、８０１４、８０１５、８０１６、８０１７、８０１８ スライド溝
８１１、８１２、８１３、８１４、８１５、８１６、８１７、８１８、８１９、８１１０、８１１１、８１１２     変化点
８３   枠状部
８５   凹状部
８６   貫通孔
１００ 冷蔵庫
１０１ 冷蔵室
１０２ 冷凍室
１０３ 野菜室
１０４ 冷却室
１０５ 区画壁
１０６ 開口部
１０７ 送風ファン
１０８ 冷却器
１０９ 風路
１１０ 送風機カバー
１１１ 凹部
１１３ 開口部
１１４ ダンパ
【図１】
2020098045.tif 000003
【図２】
2020098045.tif 000004
【図３】
2020098045.tif 000005
【図４】
2020098045.tif 000006
【図５】
2020098045.tif 000007
【図６】
2020098045.tif 000008
【図７】
2020098045.tif 000009
【図８】
2020098045.tif 000010
【図９】
2020098045.tif 000011
【図１０】
2020098045.tif 000012
【図１１】
2020098045.tif 000013
【図１２】
2020098045.tif 000014
【図１３】
2020098045.tif 000015
【図１４】
2020098045.tif 000016
【図１５】
2020098045.tif 000017
【図１６】
2020098045.tif 000018
【図１７】
2020098045.tif 000019
【図１８】
2020098045.tif 000020
【図１９】
2020098045.tif 000021
【図２０】
2020098045.tif 000022
【図２１】
2020098045.tif 000023
【図２２】
2020098045.tif 000024
【図２３】
2020098045.tif 000025
【図２４】
2020098045.tif 000026
【図２５】
2020098045.tif 000027
【図２６】
2020098045.tif 000028
【図２７】
2020098045.tif 000029
【図２８】
2020098045.tif 000030
【図２９】
2020098045.tif 000031
【図３０】
2020098045.tif 000032
【図３１】
2020098045.tif 000033
【図３２】
2020098045.tif 000034
【図３３】
2020098045.tif 000035
【図３４】
2020098045.tif 000036
【図３５】
2020098045.tif 000037
【図３６】
2020098045.tif 000038
【図３７】
2020098045.tif 000039
【図３８】
2020098045.tif 000040
【図３９】
2020098045.tif 000041
【図４０】
2020098045.tif 000042